(57)【要約】      （修正有）【課題】チルト調整で光ピックアップが傾いた場合に光ピックアップのラックの歯とピニオンの歯が正常に噛み合った状態を保てラックとピニオンとが正常に動作できる。【解決手段】光ピックアップ１をガイドシャフト２に沿って左右移動しガイドシャフトをシャーシ３のネジ部材４で上下に移動してチルト調整し駆動モータ５で中間ギヤ６を介しピニオン７が回転しピニオンの下に歯がピニオンに対して垂直となる光ピックアップを左右移動するラック８を左右向きにし、駆動モータで中間ギヤを介しピニオンの回転でラックを左右移動し光ピックアップをガイドシャフトに沿って左右移動しラックはラック台９にスプリング１０を介して配置しスプリングはラック台からラックの上向き孔部８ａに隙間をもって挿入したピン１１の外周に巻設しチルト調整時に光ピックアップが傾いてもラックの傾きをスプリングで緩和しピニオンとラックの歯の噛み合いが常に正常になる。【選択図】図１
2005050429.tif 000002
【特許請求の範囲】
【請求項１】
光ピックアップを前後一対のガイドシャフトに沿って左右に移動させ、前記ガイドシャフトをシャーシに取り付けられたネジ部材で上下に移動してチルト調整するようにした光ディスク装置において、前記シャーシ上に設置された駆動モータの回転駆動によって中間ギヤを介してピニオンを回転させるようにし、このピニオンの下側に歯が前記ピニオンに対して垂直となるように前記光ピックアップを左右移動させるためのラックを左右向きに配置して、前記駆動モータの回転駆動で前記中間ギヤを介して前記ピニオンの回転で前記ラックを左右移動させて前記光ピックアップを前記ガイドシャフトに沿って左右移動させるように構成し、前記ラックはラック台の上側に左右一対のスプリングからなる弾性体を介して配置され、前記スプリングは前記ラック台から前記ラックに設けられた上向き孔部に若干の隙間をもって挿入されたピンの外周近傍に巻設されていて、前記チルト調整時に前記ガイドシャフトの傾きによる前記光ピックアップの傾きが生じた際に、前記ラックの傾きを前記左右一対のスプリングで緩和させて前記ピニオンと前記ラックの歯の噛み合いが常に正常な状態になるようにしたことを特徴とする光ディスク装置。
【請求項２】
光ピックアップを前後一対のガイドシャフトに沿って左右に移動させ、前記ガイドシャフトをシャーシに取り付けられたネジ部材で上下に移動してチルト調整するようにした光ディスク装置において、前記シャーシ上に設置された駆動モータの回転駆動によって中間ギヤを介してピニオンを回転させるようにし、このピニオンの下側に歯が前記ピニオンに対して垂直となるように前記光ピックアップを左右移動させるためのラックを左右向きに配置して、前記駆動モータの回転駆動で前記中間ギヤを介して前記ピニオンの回転で前記ラックを左右移動させて前記光ピックアップを前記ガイドシャフトに沿って左右移動させるように構成し、前記ラックはラック台の上側に左右一対の弾性体を介して配置されていて、前記チルト調整時に前記ガイドシャフトの傾きによる前記光ピックアップの傾きが生じた際に、前記ラックの傾きを前記左右一対の弾性体で緩和させて前記ピニオンと前記ラックの歯の噛み合いが常に正常な状態になるようにしたことを特徴とする光ディスク装置。
【請求項３】
前記弾性体はスプリングからなり、前記ラック台から前記ラックに設けられた上向き孔部に若干の隙間をもって挿入されたピンの外周近傍に巻設されている光ディスク装置。
【請求項４】
前記弾性体は板バネからなる請求項２に記載の光ディスク装置。
【請求項５】
前記板バネは前記ラックの下面側に取り付けられて前記ラック台の上面に当接している請求項４に記載の光ディスク装置。
【請求項６】
前記板バネは前記ラック台の上面側に取り付けられて前記ラックの下面に当接されている請求項４に記載の光ディスク装置。
【発明の詳細な説明】
【技術分野】
【０００１】
本発明は、光ピックアップを前後一対のガイドシャフトに沿って左右に移動させ、前記ガイドシャフトをシャーシに取り付けられたネジ部材で上下に移動してチルト調整するようにした光ディスク装置に関するものである。
【背景技術】
【０００２】
従来、この種の光ディスク装置は、光ピックアップを移動させるためのラックは、光ピックアップの本体部に固定されていて、シャーシに支持されて駆動モータで回転されるピニオンがラックに噛み合って、このピニオンの回転でラックが左右に移動して光ピックアップが左右に移動されるようになっていた。
ところが、チルト調整時には、ピックアップの本体部に取り付けられているラックが傾いてしまうことと、駆動モータ側のピニオンは水平方向のままで変わらないために、ラックの歯とピニオンの歯が正常に噛み合わなくなってしまい、最悪の場合にはラックとピニオンとの間でロックされてしまうことがあるという問題があった。
【０００３】
第１の従来技術を図７（ａ）（ｂ）に示す。この発明の光ディスク装置１０１は、対物レンズを往復動可能に保持するピックアップ１０５と、ピックアップ１０５を案内するガイドレール１０３、１０４と、ピックアップ１０５の一端部に設けられたラック１１１と、ラックと噛み合うピニオン１１７と、ピニオンにモータ１１２の回転を伝達する中間ギヤ１１８と、モータ１１２、ピニオン１１７および中間ギヤ１１８を一体に保持するモータ取付板１１４と、モータ取付板１１４に、ラック１１１に向かう方向の力を提供するはね１１５およびねじ１１６を有し、中間ギヤ１１８の回転方向に拘わりなく一定の回転負荷でピックアップ１０５を往復動できるものである。更に、予圧ばね１１５は、例えばコイルばねであって、ねじ１１６により同軸に締め付けられることにより、モータ取付板１１４に、所定の圧力を提供するものである。（例えば、特許文献１参照）。
ところが、この与圧ばね１１５は、モータ取付板１１４に所定の圧力を提供して、ピニオン１１７をラック１１１に確実に噛み合うようにしただけであって、これにおいても、ピックアップ１０５がチルト調整により傾いたときに、ピニオン１０５の歯とラック１１１の歯がロックされてしまう場合があるという問題があった。
【０００４】
【特許文献１】特開２００１−２３３２２号公報
【発明の開示】
【発明が解決しようとする課題】
【０００５】
本発明は、上記従来の問題を解消し、チルト調整によりガイドシャフトが傾いて光ピックアップが傾いた場合でも、光ピックアップ側のラックの歯とピニオンの歯が正常に噛み合った状態を保つことができ、ラックとピニオンとがロックすることなく、正常に動作させることができる光ディスク装置を提供することを目的とするものである。
【課題を解決するための手段】
【０００６】
本発明は、上記課題を解決するためになされたものであって、請求項１に記載の発明は、光ピックアップを前後一対のガイドシャフトに沿って左右に移動させ、前記ガイドシャフトをシャーシに取り付けられたネジ部材で上下に移動してチルト調整するようにした光ディスク装置において、前記シャーシ上に設置された駆動モータの回転駆動によって中間ギヤを介してピニオンを回転させるようにし、このピニオンの下側に歯が前記ピニオンに対して垂直となるように前記光ピックアップを左右移動させるためのラックを左右向きに配置して、前記駆動モータの回転駆動で前記中間ギヤを介して前記ピニオンの回転で前記ラックを左右移動させて前記光ピックアップを前記ガイドシャフトに沿って左右移動させるように構成し、前記ラックはラック台の上側に左右一対のスプリングからなる弾性体を介して配置され、前記スプリングは前記ラック台から前記ラックに設けられた上向き孔部に若干の隙間をもって挿入されたピンの外周近傍に巻設されていて、前記チルト調整時に前記ガイドシャフトの傾きによる前記光ピックアップの傾きが生じた際に、前記ラックの傾きを前記左右一対のスプリングで緩和させて前記ピニオンと前記ラックの歯の噛み合いが常に正常な状態になるようにしたことを特徴としている。
【０００７】
請求項２に記載の発明は、光ピックアップを前後一対のガイドシャフトに沿って左右に移動させ、前記ガイドシャフトをシャーシに取り付けられたネジ部材で上下に移動してチルト調整するようにした光ディスク装置において、前記シャーシ上に設置された駆動モータの回転駆動によって中間ギヤを介してピニオンを回転させるようにし、このピニオンの下側に歯が前記ピニオンに対して垂直となるように前記光ピックアップを左右移動させるためのラックを左右向きに配置して、前記駆動モータの回転駆動で前記中間ギヤを介して前記ピニオンの回転で前記ラックを左右移動させて前記光ピックアップを前記ガイドシャフトに沿って左右移動させるように構成し、前記ラックはラック台の上側に左右一対の弾性体を介して配置されていて、前記チルト調整時に前記ガイドシャフトの傾きによる前記光ピックアップの傾きが生じた際に、前記ラックの傾きを前記左右一対の弾性体で緩和させて前記ピニオンと前記ラックの歯の噛み合いが常に正常な状態になるようにしたことを特徴としている。
【０００８】
請求項３に記載の発明は、前記弾性体はスプリングからなり、前記ラック台から前記ラックに設けられた上向き孔部に若干の隙間をもって挿入されたピンの外周近傍に巻設されているものである。
請求項４に記載の発明は、前記弾性体は板バネからなるものである。
請求項５に記載の発明は、前記板バネは前記ラックの下面側に取り付けられて前記ラック台の上面に当接しているものである。
請求項６に記載の発明は、前記板バネは前記ラック台の上面側に取り付けられて前記ラックの下面に当接されているものである。
【発明の効果】
【０００９】
本発明は、光ピックアップを前後一対のガイドシャフトに沿って左右に移動させ、ガイドシャフトをシャーシに取り付けられたネジ部材で上下に移動してチルト調整するようにした光ディスク装置において、シャーシ上に設置された駆動モータの回転駆動によって中間ギヤを介してピニオンを回転させるようにし、このピニオンの下側に歯がピニオンに対して垂直となるように光ピックアップを左右移動させるためのラックを左右向きに配置して、駆動モータの回転駆動で中間ギヤを介してピニオンの回転でラックを左右移動させて光ピックアップをガイドシャフトに沿って左右移動させるように構成し、ラックはラック台の上側に左右一対のスプリングからなる弾性体を介して配置され、スプリングはラック台からラックに設けられた上向き孔部に若干の隙間をもって挿入されたピンの外周近傍に巻設されていて、チルト調整時にガイドシャフトの傾きによる光ピックアップの傾きが生じた際に、ラックの傾きを左右一対のスプリングで緩和させてピニオンとラックの歯の噛み合いが常に正常な状態になるようにしたので、以下に述べる効果を奏する。
【００１０】
即ち、ラックを左右一対のスプリングを介してチルト調整によりガイドシャフトが傾いて光ピックアップが傾いた場合でも、光ピックアップ側のラックの歯とピニオンの歯が正常に噛み合った状態を保つことができ、ラックとピニオンとがロックすることなく、正常に動作させることができる。
また、スプリングを巻設されたラック台のピンをラックの上向き孔部に若干の隙間をもって挿入しているので、ラック台に対してラックの位置が擦れることを防ぐことができる。
【００１１】
請求項２に記載の発明は、光ピックアップを前後一対のガイドシャフトに沿って左右に移動させ、ガイドシャフトをシャーシに取り付けられたネジ部材で上下に移動してチルト調整するようにした光ディスク装置において、シャーシ上に設置された駆動モータの回転駆動によって中間ギヤを介してピニオンを回転させるようにし、このピニオンの下側に歯がピニオンに対して垂直となるように光ピックアップを左右移動させるためのラックを左右向きに配置して、駆動モータの回転駆動で中間ギヤを介してピニオンの回転でラックを左右移動させて光ピックアップをガイドシャフトに沿って左右移動させるように構成し、ラックはラック台の上側に左右一対の弾性体を介して配置されていて、チルト調整時にガイドシャフトの傾きによる光ピックアップの傾きが生じた際に、ラックの傾きを左右一対の弾性体で緩和させてピニオンとラックの歯の噛み合いが常に正常な状態になるようにしたので、以下に述べる効果を奏する。
即ち、ラックを左右一対の弾性体を介してラック台の上方に設けたので、チルト調整によりガイドシャフトが傾いて光ピックアップが傾いた場合でも、光ピックアップ側のラックの歯とピニオンの歯が正常に噛み合った状態を保つことができ、ラックとピニオンとがロックすることなく、正常に動作させることができる。
【００１２】
請求項３に記載の発明は、弾性体はスプリングからなり、ラック台からラックに設けられた上向き孔部に若干の隙間をもって挿入されたピンの外周近傍に巻設されているので、ラック台に対してラックの位置が擦れることを防ぐことができる。
請求項４に記載の発明は、弾性体は板バネからなるので、ラック台とラックの間に配置しやすく、確実に板ばねのクッション性を発揮することができる。。
【００１３】
請求項５に記載の発明は、板バネはラックの下面側に取り付けられてラック台の上面に当接しているので、板ばねの取付けを行い易く且つ構造を簡単化することができる。
請求項６に記載の発明は、板バネはラック台の上面側に取り付けられてラックの下面に当接されているので、板ばねの取付けを行い易い且つ構造を簡単化することができる。
【発明を実施するための最良の形態】
【００１４】
以下、本発明に係る光ディスク装置の実施の形態について、図を参照しつつ説明する。
図１は本発明の第１実施形態の光ディスク装置を示し、（ａ）はその平面図、（ｂ）はその正面図、図２は同装置におけるラック台とラックの取付状態を示し、（ａ）はその正常な状態の部分拡大正面図、（ｂ）はラックが上向きに移動した状態の部分拡大正面図、（ｃ）はラックが下向きに移動した状態の部分拡大正面図、図３はラック台側のピンがラック側の孔部に入り込み、そのピンの外周近傍にスプリングが配設されている状態の部分断面図、図４は同装置におけるラック台とラックの関係を示し、（ａ）はラックが下向きに移動したときの光ピックアップの正面図、（ｂ）はラックが上向きに移動したときの光ピックアップの正面図である。
【００１５】
本発明の第１実施形態の光ディスクは、図１（ａ）（ｂ）に示すように、光ピックアップ１が前後一対のガイドシャフト２、２によってシャーシ３上に配置されている。
シャーシ３には、前後一対のガイドシャフト２、２の両端部近傍に当接するネジ部材４がそれぞれ取り付けられていて、このネジ部材４を螺進螺退させることによって、ガイドシャフト２、２を介して光ピックアップ１のチルト調整を行うように構成されている。
更に、シャーシ３に設置された駆動モータ５の回転駆動によってシャーシ３上に軸支された中間ギヤ６を介してシャーシ３上に軸支されたピニオン７を回転させるようにしている。このピニオン７の下側に歯がピニオン７に対して垂直となるように光ピックアップ１を左右移動させるためのラック８を左右向きに配置している。そして、駆動モータ５の回転駆動で中間ギヤ６を介してピニオン７の回転でラック８を左右移動させるようにしている。
【００１６】
また、光ピックアップ１をガイドシャフト２、２に沿って左右移動させるように構成している。
ラック８はラック台９の上側に左右一対のスプリング１０、１０からなる弾性体を介して配置され、スプリング１０、１０は、図３に示すように、ラック台９からラック８に設けられた上向き孔部８ａに若干の隙間をもって挿入されたピン１１の外周近傍に巻設されている。
そして、チルト調整時にガイドシャフト２、２の傾きによる光ピックアップ１の傾きが生じた際に、図２（ａ）（ｂ）（ｃ）に示すように、ラック８の傾きを左右一対のスプリング１０、１０で緩和させて、図４（ａ）（ｂ）に示すように、ピニオン７とラック８の歯の噛み合いが常に正常な状態になるようにしている。
【００１７】
この第１実施形態によれば、ラック８を左右一対のスプリング１０、１０を介してチルト調整によりガイドシャフト２、２が傾いて光ピックアップ１が傾いた場合でも、光ピックアップ１側のラック８の歯とピニオン７の歯が正常に噛み合った状態を保つことができ、ラック８とピニオン７とがロックすることなく、正常に動作させることができる。
また、スプリング１０、１０を巻設されたラック台９のピン１１をラック８の上向き孔部８ａに若干の隙間をもって挿入しているので、ラック台９に対してラックの位置が擦れることを防ぐことができる。
【００１８】
図５は第２実施形態の光ディスク装置におけるラック台とラックとの関係を示す部分正面図である。
第２実施形態の光ディスクは、図５に示すように、板バネ１２、１２からなる弾性体がラック台９の下面側の両端近傍箇所に取り付けられてラック８の上面に当接されている。
この第２実施形態によれば、弾性体は板バネ１２からなるので、ラック台９とラック８の間に配置しやすく、確実に板ばね１２、１２のクッション性を発揮することができる。
板バネ１２、１２はラック台９の上面側に取り付けられてラック８の下面に当接されているので、板ばね１２、１２の取付けを行い易い且つ構造を簡単化することができる。
【００１９】
図６は第３実施形態の光ディスク装置におけるラック台とラックとの関係を示す部分正面図である。
第３実施形態の光ディスクは、図６に示すように、板バネ１２、１２からなる弾性体がラック８の下面側の両端近傍箇所に取り付けられてラック台９の上面に当接されている。
この第３実施形態によれば、弾性体は板バネ１２、１２からなるので、ラック台９とラック８の間に配置しやすく、確実に板ばねのクッション性を発揮することができる。。
板バネ１２、１２はラック８の下面側に取り付けられてラック台９の上面に当接しているので、板ばね１２、１２の取付けを行い易く且つ構造を簡単化することができる。
【図面の簡単な説明】
【００２０】
【図１】第１実施形態の光ディスク装置を示し、（ａ）はその平面図、（ｂ）はその正面図である。
【図２】同装置におけるラック台とラックの取付状態を示し、（ａ）はその正常な状態の部分拡大正面図、（ｂ）はラックが上向きに移動した状態の部分拡大正面図、（ｃ）はラックが下向きに移動した状態の部分拡大正面図である。
【図３】ラック台側のピンがラック側の孔部に入り込み、そのピンの外周近傍にスプリングが配設されている状態の部分断面図である。
【図４】同装置におけるラック台とラックの関係を示し、（ａ）はラックが下向きに移動したときの光ピックアップの正面図、（ｂ）はラックが上向きに移動したときの光ピックアップの正面図である。
【図５】第２実施形態の光ディスク装置におけるラック台とラックとの関係を示す部分正面図である。
【図６】第３実施形態の光ディスク装置におけるラック台とラックとの関係を示す部分正面図である。
【図７】従来の光ディスク装置を示し、（ａ）はその光ヘッドおよびヘッド駆動機構を対物レンズの背面側からみた状態を示す斜視図、（ｂ）はそのヘッド駆動機構を説明するための部分側面図である。
【符号の説明】
【００２１】
１              光ピックアップ
２              ガイドシャフト
３              シャーシ
４              ネジ部材
５              駆動モータ
６              中間ギヤ
７              ピニオン
８              ラック
８ａ            上向き孔部
９              ラック台
１０            スプリング
１１            ピン
１２            板バネ
【図１】
2005050429.tif 000003
【図２】
2005050429.tif 000004
【図３】
2005050429.tif 000005
【図４】
2005050429.tif 000006
【図５】
2005050429.tif 000007
【図６】
2005050429.tif 000008
【図７】
2005050429.tif 000009